(57)【要約】【課題】      炭による調湿、消臭、浄化作用や三層構造により体圧分散、褥瘡や床ずれ防止効果が得られ、軽量化と通気性、衛生的、速乾性に優れ、室内環境や寝床内環境を快適にして、安価であり、シーツの着脱が容易になり、体位変換、位置修正、移動の対応が早く介護者や要介護者の負担を軽減し、簡易担架としても使用でき清潔で取り扱いが楽なマットを提案する。【解決手段】  マット本体Ａは、顆粒状の炭層Ａ−２、炭層の上に設けられた孔明きのウレタン層Ａ−１、および炭層の下に設けられたシートＡ−３からなる三層構造に形成されている。マット本体Ａを包むカバーＢは表面の長さ方向の中央部に防水加工が施され、シートＡ−３にカバーの外部に出る持ち手を付けることでマット移動やシーツ交換、乾燥時の日干し作業が容易になる。【選択図】    図２
2008194498.tif 000002
【特許請求の範囲】
【請求項１】
敷きマット本体と、この敷きマット本体を包む筒状カバーからなり、前記敷きマット本体は、顆粒状の炭層と、この炭層の上に設けられた孔明きのウレタン層、および前記炭層の下に設けられたシートからなる三層構造により形成されており、前記シートの長手方向端部に持ち手が付けられ、前記筒状カバーは表面にキルティング加工が施されるとともに、少なくとも長さ方向に見て中央部に尿等が浸透しないように防水加工が施されていることを特徴とする介護用炭入り敷きマット。
【請求項２】
前記顆粒状の炭層は、上下の布帛の間に挟まれ、上下の布帛とともにキルティング状に縫着されていることを特徴とする請求項１に記載の介護用炭入り敷きマット。
【請求項３】
前記筒状カバーの裏面に合成樹脂フィルムまたは合成樹脂フォームをラミネートして防水加工したことを特徴とする請求項１または２に記載の介護用炭入り敷きマット。
【請求項４】
上記請求項１〜３の何れか１項に記載の敷きマットであって、この敷きマットをカバーするシーツを具備しており、このシーツは、筒状であり、内側は滑り易い素材から形成され、外側の四隅にマット留めが設けられ、シーツの左右端部に持ち手が付けられ、簡易担架としても使用できるようにしたことを特徴とする介護用炭入りマット。
【発明の詳細な説明】
【技術分野】
【０００１】
本発明は、介護用炭入り敷きマットに関する。より詳しくは、本発明は、炭による調湿、消臭、浄化作用によって室内・寝床内環境を改善し、要介護者の体位変換、自立支援などを図り、更に、介護者および要介護者の介護負担を軽減することができる介護用炭入り敷きマットに関する。
【背景技術】
【０００２】
従来から介護は、一般的に、アンモニア臭や寝汗など悪臭のある室内で行われていた。この中で、一部では、調湿、消臭、浄化効果があるといわれる炭入り寝具などが使用されていた（特許文献１および２参照）。また、介護用シーツ（特許文献３，４参照）、要介護者の体位変換、位置修正、移動が可能な取手付きシーツやマット（特許文献５参照）、筒状シートや差込用移動ボード（特許文献６参照）などが使用されていた。
【０００３】
【特許文献１】特開    ２００２−２３４０９３号公報
【特許文献２】実開平７−００１８５０号公報
【特許文献３】実開平６−５７３３９号公報
【特許文献４】特開平９−３８１４０号公報
【特許文献５】実開平２−０４９５２３号公報
【特許文献６】実用新案登録第３００９２８６号公報
【発明の開示】
【発明が解決しようとする課題】
【０００４】
しかしながら、特許文献１または２に記載された従来の炭入り寝具の場合には、尿等が浸透して汚れても寝具の洗濯が不可能であり、乾燥のための日干し作業では、大きさや重量が介護人の負担となっている。
また、顆粒状の炭は褥瘡や床ずれ防止効果があるが、皮膚に疾患がある患者にとっては、顆粒状の炭が直接皮膚に接触すると、皮膚に対する負担が大きい。また、従来の顆粒状の炭は、介護用シーツに用いるには高価であった。
更に、従来の持ち手付きマットの場合は、一般的にシーツを着用できず、また、シーツ着用可能なマットにあってもシーツ交換をする際に要介護者に負担を与えていた。
また、従来の体位変換、位置修正、移動用のマットとシーツにおいては、急な事態の対応に手間が掛かった。
そこで、本発明は、炭による調湿、消臭、浄化作用を達成しつつ、マット本体を三層構造とすることにより体圧分散、褥瘡や床ずれ防止効果が得られ、軽量化と通気性、衛生的、速乾性に優れ、室内環境や寝床内環境を快適にして、安価であり、シーツの着脱が容易になり、体位変換、位置修正、移動の対応が早く行なえ、介護者や要介護者の負担を軽減し、簡易担架としても使用でき、清潔で取り扱いが楽なことを特徴とするマットを提案することを目的とする。
【課題を解決するための手段】
【０００５】
上記の目的を解決するために、本発明によれば敷きマット本体と、この敷きマットを包む筒状カバーからなり、前記敷きマット本体は、顆粒状の炭層と、この炭層の上に設けられた孔明きのウレタン層、および前記炭層の下に設けられたシートからなる三層構造により形成されており、前記シートの長手方向端部に持ち手が付けられ、前記筒状カバーは表面にキルティング加工が施されるとともに、少なくとも長さ方向に見て中央部に尿等が浸透しないように防水加工が施されていることを特徴とする介護用炭入り敷きマットが提供される。
【０００６】
また、上記記載の敷きマットをカバーするシーツは筒状の形態であり、内側は滑りやすい素材から形成され、外側の四隅にマット留めが設けられ、シーツの左右端部に持ち手が付けられている。介助者が持ち手を持つことによりシーツの交換を容易に行え、シーツが筒状の形態をしていること、およびその内側が滑りやすい素材により作られていることにより、要介護者が身体をずらすだけで敷きマットに対して容易に移動が行え、また、場合によっては、要介護者自身でも容易に移動できる。更に、シーツの筒の両端に棒を差し込むことによって、敷きマットを簡易担架として使用することも可能になる。
【発明の効果】
【０００７】
本発明の敷きマットによれば、中心の炭層により調湿、消臭、浄化作用が奏される。また、マット本体が三層構造であることにより、体圧分散、褥瘡や床ずれ防止効果が得られ、軽量化と通気性、衛生的、速乾性に優れる。これらにより室内環境や寝床内環境を快適にできる。
また、敷きマットに持ち手を付けることにより、敷きマットの移動や乾燥時の日干し作業、シーツ交換などの取り扱いが容易になる。敷きマット本体を包んでいるシーツの表面に、好ましくは、横、斜め方向の、キルティング加工を施すことにより、マットの縦ずれを防止ができ、またキルティングの縫い目に沿い横、斜め方向に曲がることで要介護者の体位変換、位置修正、移動がスムーズに行える。
また、少なくともマット表面の長さ方向中央部に尿等が浸透しないように防水加工が施されていることが好ましい。具体的には、筒状カバーの裏面に合成樹脂フィルムをラミネートして防水加工することにより、尿等が浸透しないようにでき好ましい。
更に、敷きマットの左右に持ち手を付けることで体位変換、位置修正、移動が容易になり、シーツの着脱など取り扱いが容易になる。
以上により、安価でしかも清潔で簡易担架としても使用できる敷きマットとシーツが提案され、介護者、被介護者の介護負担を軽減することができる。
すなわち、本発明のマットによれば、マット本体の移動が容易になり、介護人や要介護者の負担を軽減するとともに要介護者の自立支援として体位変換、位置修正、移動を容易にできる。
更に、敷きマットを包みカバーする筒状シーツにおいて、筒状の内側が滑りやすい素材を使用すると、四隅にあるマット留めを一箇所外すことにより体位変換、位置修正、移動が容易になり、要介護者の自立支援にも役立つ。
【発明を実施するための最良の形態】
【０００８】
以下、本発明の実施例を図示した添付図面を参照して本発明を詳細に説明する。図１に本発明に係る敷きマットの実施例の全体の正面図を示し、図２は図１の断面図である。
図２に示すように、この敷きマット１は敷きマット本体Ａと、敷きマット本体Ａを包む筒状カバーＢとからなり、敷きマット本体Ａは筒状カバーＢに収容されている。
【０００９】
図２に示すように、本発明の敷きマット本体Ａは三層構造となっている。すなわち、図２に示すように顆粒状の炭層Ａ−２を中心に、その上下に孔明きウレタン層Ａ−１、シートＡ−３からなる三層構造で形成されている。
【００１０】
図２に示すように敷きマット本体Ａの中央は顆粒状の炭層Ａ−２であり、実施例では黒炭と白炭とを混合して顆粒状の炭２としている。この顆粒状の炭層Ａ−２は、上下の布帛の間に挟まれており、上下の布帛とともに縫い糸３によりキルティング状に縫着されて、顆粒状の炭層Ａ−２は固定されている。
この上下の布帛としては、敷布に広く用いられている平織り織物、ガーゼなどの織物や不織布などを用いることができる。
顆粒状の炭層Ａ−２における炭の調湿、消臭、浄化作用などにより、アルカリ性と酸性の効果が得られ、アンモニア臭や寝汗などの悪臭が低減でき、これにより介護者や要介護人の介護負担を軽減し、室内環境、寝床内環境を改善して衛生的で快適な環境が達成できる。
また、本発明の顆粒状の炭層Ａ−２は上下の布帛の間に挟まれており、上下の布帛とともにキルティング状に縫着され固定されているので、取扱いが容易であり、しかも安価になる。
炭層Ａ−２の上に孔明きウレタン層Ａ−１が設けられている。孔明きウレタン層Ａ−１としては、発泡ウレタン等の合成樹脂発泡体４に多数の小孔４ａを開口したものである。ウレタン等の合成樹脂発泡体４の表面積に対する開口部４ａの面積の割合は３０％程度とすることが好ましい。
孔明きウレタン層Ａ−１の孔４ａにより体圧分散、軽量化、通気性を有し、速乾性に優れ褥瘡や床ずれ防止効果が得られ、乾燥時の日干し作業が軽減されるようにしている。
【００１１】
図２に示すようにシートＡ−３の長手方向端部には持ち手１１〜１４を取付けている。持ち手１１、１２および１３、１４は図１に示すようにシートＡ−３の幅方向（図１の上下方向）に間隔を明けて取付けられている。
【００１２】
前述のように、敷きマット本体Ａは筒状カバーＢに収容されている。筒状カバーＢの外表面には、図１に示すように、好ましくは横と斜め方向の、キルティング加工２１が施されている。キルティング加工２１により敷きマット１の縦ずれを防止し、キルティング加工の縫い目に沿って横、斜め方向に曲がり易いことにより、要介護者の体位変換や位置修正、移動がスムーズに行える。
また、介護者が左右の持ち手１１〜１４を持つことによりシートＡ−３とともにマット本体Ａを簡単に移動させることができ、要介護者の体位変換や位置修正などを容易に行え、介護者や要介護者の負担を軽減してマットをカバーしているシーツの交換が容易に行える。
孔明きウレタン層Ａ−１の上側に位置する筒状カバーＢの表面には、少なくとも要介護者の腰部が位置する中央部に、尿等が浸透しないように防水加工が施されている。防水加工の方法は、筒状カバーＢの裏面に、ポリウレタンフィルム、ポリエステルフィルムなどの合成樹脂フィルム、ポリウレタンフォームなどの合成樹脂フォームをラミネートしている。
敷きマット本体Ａを図２に示すように筒状カバーＢで包む。この際に、シートＡ−３の長手方向端部に取付けた持ち手１１〜１４を筒状カバーＢの外側に引き出し、この状態で筒状カバーＢの周囲を縫い目３１により縫着して筒状カバーＢと敷きマット本体Ａとを一体化する。
【００１３】
図３に本発明の敷きマット１をカバーするシーツＣの実施例の正面図を示す。シーツＣは速乾機能生地であって、その内側が滑り易い素材を使用して、図４に示すように筒状に形成している。
図３に示すように、シーツＣの外表面または内表面の四隅の角にマット留め４１〜４４を斜めに設けている（図３はシーツＣの内表面の四隅の角にマット留め４１〜４４を形成した実施例である）。
更に、シーツＣの上下の長辺には左右４箇所に、持ち手４５〜４８を付けており、持ち手４５〜４８を持つことによりシーツＣの交換を容易に行なえ、介護者の負担を軽減するとともに要介護者の自立支援として体位変換、位置修正、移動を容易にできるようにした。
なお、本実施例では、対向する持ち手４５と４６、４７と４８を繋いで８の字状とし、持ち手４５と４６、４７と４８の強度を高めているが、８の字の交差部を切り離してもよい。また、シーツＣの筒状の左右に棒を差し込み、または、本発明の敷きマット１を差し込んで簡易担架としても使用できる。
【００１４】
シーツＣの使用方法の幾つかを説明する。一例として、図５に示すようにシーツＣを敷きマット１の上に敷き、敷きマット１の四隅をシーツＣの四隅のマット留め４１〜４５に留めて、シーツＣを敷きマット１を固定する。このようにして、シーツＣをマットカバーとして使用する場合にも、体位変換や位置修正、移動をする際にはカバーの移動したい方向と反対側のマット留めを一箇所外すだけでシーツＣが筒状の形状をしていることと内側の滑りやすい素材によって、要介護者がシーツＣを容易に移動できる。また、シーツＣの交換の際には、要介護者の背に沿ってシーツＣを置き、シーツＣの持ち手４５〜４７または４６〜４８を引くことにより、シーツＣの内側の滑りやすい素材と筒状によってスムーズに所定位置に収めることができる。
【００１５】
他の例として、図６に示すように、シーツＣの筒状の中に敷きマット１を差込み、マットの縦方向の持ち手１１〜１４を引き滑らすことでシーツＣの内側の滑りやすい素材によって敷きマット１とシーツＣとを一体にでき、この状態でシーツＣの持ち手４５〜４８を持って体位変換、位置修正、移動等を容易に行なえる。
【図面の簡単な説明】
【００１６】
【図１】本発明の敷きマット１の正面図である。
【図２】本発明に用いる敷きマット１の断面図である。
【図３】本発明のシーツの正面図である。
【図４】本発明のシーツの斜視図である。
【図５】本発明の敷きマット１とシーツを組み合わせた状態の正面図である。
【図６】本発明の敷きマット１とシーツとの別の組み合わせ状態の正面図である。
【符号の説明】
【００１７】
１            敷きマット
２            顆粒状の炭
３            縫い糸
４            合成樹脂発泡体
４ａ          小孔
１１〜１４    持ち手
２１          キルティング加工
４１〜４４    マット留め
４５〜４８    持ち手
Ａ            敷きマット本体
Ａ−１        孔明きウレタン層
Ａ−２        炭層
Ａ−３        シート
Ｂ            筒状カバー
Ｃ            シーツ
【図１】
2008194498.tif 000003
【図２】
2008194498.tif 000004
【図３】
2008194498.tif 000005
【図４】
2008194498.tif 000006
【図５】
2008194498.tif 000007
【図６】
2008194498.tif 000008